(57)【要約】【課題】光送信器と光受信器との間を仕切る壁部を容易に形成し、放射ノイズを抑制することが可能な光トランシーバを提供する。【解決手段】光トランシーバ１は、光送信器２１と、光受信器２２と、光送信器２１と光受信器２２とを並べて上側から収容する下筐体４と、下筐体４の上側を開閉自在に覆う上筐体５と、下筐体４に収容され、ノイズを遮蔽するシールド部材６と、を備える。シールド部材６は、光送信器２１と光受信器２２との間を仕切る板状の第１壁部６ａと、第１壁部６ａの一方側に延びて光送信器２１の本体部２１ａ前面を覆う第２壁部６ｂと、第１壁部６ａの他方側に延びて光受信器２２の本体部２２ａ前面を覆う第３壁部６ｃとを有する。【選択図】図３
2012059821.tif 000002
【特許請求の範囲】
【請求項１】
光信号を送信する光送信器と、
光信号を受信する光受信器と、
前記光送信器と前記光受信器とを並べて収容する下筐体と、
前記下筐体を開閉自在に覆う上筐体と、
前記下筐体に収容され、ノイズを遮蔽するシールド部材と、を備え、
前記シールド部材は、前記光送信器と前記光受信器との間を仕切る板状の第１壁部と、前記第１壁部の一方側に延びて前記光送信器の本体部前面を覆う第２壁部と、前記第１壁部の他方側に延びて前記光受信器の本体部前面を覆う第３壁部とを有することを特徴とする光トランシーバ。
【請求項２】
前記シールド部材は、前記第１壁部の下端部に連設され前記下筐体の内壁面に当接する第１当接部と、前記第１壁部の上端部に連設され前記上筐体の内壁面に当接する第２当接部とを有することを特徴とする請求項１記載の光トランシーバ。
【請求項３】
前記下筐体は、前記第１壁部の下端部を収容する第１溝部を有し、
前記上筐体は、前記第１壁部の上端部を収容する第２溝部を有することを特徴とする請求項１記載の光トランシーバ。
【請求項４】
前記第１壁部と前記下筐体とを着脱自在に連結する第１連結手段と、
前記第１壁部と前記上筐体とを着脱自在に連結する第２連結手段と、を更に備えることを特徴とする請求項１〜３のいずれか１項記載の光トランシーバ。
【請求項５】
前記シールド部材は、一枚の板状素材から一体的に形成されていることを特徴とする請求項１〜４のいずれか１項記載の光トランシーバ。
【発明の詳細な説明】
【技術分野】
【０００１】
本発明は、光送信器及び光受信器を有する光トランシーバに関するものである。
【背景技術】
【０００２】
従来の光トランシーバとしては、例えば特許文献１に記載されているように、光受信器と、光送信器と、光受信器及び光送信器を収容する筐体と、を備え、筐体の内部に、光送信器と光受信器との間を仕切る壁部を形成し、光トランシーバの放射ノイズの抑制を図ったものが知られている。
【先行技術文献】
【特許文献】
【０００３】
【特許文献１】特開２００９−１６４３０８号公報
【発明の概要】
【発明が解決しようとする課題】
【０００４】
上記従来技術においては、光送信器と光受信器との間が狭い場合に、光送信器と光受信器との間を仕切る壁部の肉厚が薄くなり、筐体の一部として形成するのが困難となる場合があった。
【０００５】
本発明の目的は、光送信器と光受信器との間を仕切る壁部を容易に形成し、放射ノイズを抑制することが可能な光トランシーバを提供することである。
【課題を解決するための手段】
【０００６】
本発明の光トランシーバは、光信号を送信する光送信器と、光信号を受信する光受信器と、光送信器と光受信器とを並べて収容する下筐体と、下筐体を開閉自在に覆う上筐体と、下筐体に収容され、ノイズを遮蔽するシールド部材と、を備え、シールド部材は、光送信器と光受信器との間を仕切る板状の第１壁部と、第１壁部の一方側に延びて光送信器の本体部前面を覆う第２壁部と、第１壁部の他方側に延びて光受信器の本体部前面を覆う第３壁部とを有することを特徴とする。
【０００７】
このような光トランシーバにおいては、下筐体及び上筐体の内部から光送信器の前方へ向かって放射されたノイズがシールド部材の第２壁部によって遮蔽されると共に、下筐体及び上筐体の内部から光受信器の前方へ向かって放射されたノイズがシールド部材の第３壁部によって遮蔽される。また、光送信器及び光受信器の一方から他方へ向かって放射されるノイズがシールド部材の第１壁部によって遮蔽され、光送信器及び光受信器の一方から他方へ伝わって放射されるノイズが抑制される。このように、シールド部材の各壁部によって放射ノイズが遮蔽され、光トランシーバの放射ノイズが抑制される。シールド部材は、第１壁部、第２壁部、及び第３壁部を主体とする簡単な構成であるため、薄肉の板状素材から容易に形成することができ、光送信器と光受信器との間が狭い場合であっても、光送信器と光受信器との間を仕切る第１壁部を容易に形成することができる。
【０００８】
好ましくは、シールド部材は、第１壁部の下端部に連設され下筐体の内壁面に当接する第１当接部と、第１壁部の上端部に連設され上筐体の内壁面に当接する第２当接部とを有する。この場合、第１当接部によって下筐体と第１壁部との隙間が覆われ、第２当接部によって上筐体と第１壁部との隙間が覆われるため、光送信器及び光受信器の一方から他方へ向かって放射されるノイズがより確実に遮蔽される。
【０００９】
また、好ましくは、下筐体は、第１壁部の下端部を収容する第１溝部を有し、上筐体は、第１壁部の上端部を収容する第２溝部を有する。この場合、第１溝部に第１壁部の下端部が収容されることで下筐体と第１壁部との隙間が覆われ、第２溝部に第１壁部の上端部が収容されることで上筐体と第１壁部との隙間が覆われるため、光送信器及び光受信器の一方から他方へ向かって放射されるノイズがより確実に遮蔽される。
【００１０】
また、好ましくは、第１壁部と下筐体とを着脱自在に連結する第１連結手段と、第１壁部と上筐体とを着脱自在に連結する第２連結手段と、を更に備える。この場合、下筐体と上筐体との係止手段としてシールド部材が有効活用される。
【００１１】
また、好ましくは、シールド部材は、一枚の板状素材から一体的に形成されている。この場合、シールド部材が簡易に構成される。
【発明の効果】
【００１２】
本発明によれば、光送信器と光受信器との間を仕切る壁部を容易に形成し、放射ノイズを抑制することが可能な光トランシーバを提供することができる。
【図面の簡単な説明】
【００１３】
【図１】本発明に係わる光トランシーバの一実施形態の全体構成を示す斜視図である。
【図２】光送信器及び光受信器の斜視図である。
【図３】シールド部材の斜視図である。
【図４】シールド部材に光送信器及び光受信器が組み付けられた状態を示す斜視図である。
【図５】下筐体及び上筐体の斜視図である。
【図６】シールド部材が下筐体に収容された状態を示す平面図である。
【図７】図６のＶＩＩ−ＶＩＩ断面図である。
【図８】図６のＶＩＩＩ−ＶＩＩＩ断面図である。
【図９】シールド部材の変形例を示す斜視図である。
【図１０】図９のシールド部材と下筐体及び上筐体との関係を説明する断面図である。
【発明を実施するための形態】
【００１４】
以下、本発明に係わる光トランシーバの好適な実施形態について、図面を参照しながら詳細に説明する。なお、図面において、同一又は同等の要素には同じ符号を付し、重複する説明を省略する。
【００１５】
図１は、本発明に係わる光トランシーバの一実施形態の全体構成を示す斜視図である。図１に示されるように、本実施形態の光トランシーバ１は、光送信器２１と、光受信器２２と、電子回路基板３と、下筐体４と、上筐体５と、シールド部材６とを備えている。以下の説明において、光トランシーバ１の上下、前後、左右とは、光送信器２１及び光受信器２２の配置されている側を前、上筐体５側を上、下筐体４側を下としたときの方向を意味するものとする。
【００１６】
光送信器２１は、ＴＯＳＡ（Transmitter OpticalSub-Assembly）であり、電子回路基板３に実装されたドライバに駆動されて光信号を送信する。光受信器２２は、ＲＯＳＡ（Receiver OpticalSub-Assembly）であり、光信号を受信する。電子回路基板３は、後側に電気コネクタ部３ａを有し、電気コネクタ部３ａでの電気信号の入出力と、光送信器２１及び光受信器２２での光信号の入出力とを相互に変換する。光トランシーバ１には、前側から光コネクタが接続され、その光コネクタと光送信器２１及び光受信器２２との間で光の送受信が行われる。
【００１７】
下筐体４は、上側に開いた箱状体であり、前側に光送信器２１及び光受信器２２を並べて収容し、後側に電子回路基板３を収容する。本実施形態では、光送信器２１が右前側、光受信器２２が左前側に収容されている。上筐体５は、下筐体４の上部を覆う蓋状部材であり、下筐体４に収容された光送信器２１、光受信器２２、及び電子回路基板３の上方を覆う。下筐体４及び上筐体５は、金属材料からなる部分を含んでいる。本実施形態では、下筐体４及び上筐体５はダイカスト品である。シールド部材６は、下筐体４及び上筐体５の前側に収容され、光送信器２１、光受信器２２、及び電子回路基板３で発生する放射ノイズを遮蔽する。シールド部材６は、１枚の板状素材から一体的に形成されている。本実施形態では、シールド部材６の板状素材として、例えば、鉄合金、銅合金、アルミ合金等からなる板金素材を用いている。
【００１８】
図２に示されるように、光送信器２１は、発光素子が内蔵された本体部２１ａと、本体部２１ａから前方に突出した円筒部２１ｂと、円筒部２１ｂの後側外周に突出したフランジ部２１ｃとを有している。そして、発光素子から発生した光信号は、円筒部２１ｂを通して前方に送信される。光受信器２２は、受光素子が内蔵された本体部２２ａと、本体部２２ａから前方に突出した円筒部２２ｂと、円筒部２２ｂの後側外周に突出したフランジ部２２ｃとを有している。そして、光信号は、円筒部２２ｂを通して後方の受光素子で受信される。
【００１９】
図３に示されるように、シールド部材６は、上下方向及び前後方向に延びた第１壁部６ａと、第１壁部６ａの前端部から第１壁部６ａの右側に延び、光送信器２１の本体部２１ａの前側を覆う第２壁部６ｂと、第１壁部６ａの前端部から第１壁部６ａの左側に延び、光受信器２２の本体部２２ａの前側を覆う第３壁部６ｃとを有している。
【００２０】
第１壁部６ａは、一枚の板状素材を二枚に折り重ねて構成され、折目部６ｄは後端部に配置されている。第１壁部６ａをなす２枚の板状素材の前側部分は、左右に開くように折り曲げられ、右側に折り曲げられた部分が第２壁部６ｂを構成し、左側に折り曲げられた部分が第３壁部６ｃを構成している。上記２枚の板状素材の下側部分は、下方へ向かうに従い徐々に左右に広がるように曲げられて一対の曲部６ｇ，６ｇを形成している。曲部６ｇ，６ｇの端部は、下筐体４に当接する一対の第１当接部６ｈ，６ｈを構成している。上記２枚の板状素材の上側部分は、上方へ向かうに従い徐々に左右に広がるように曲げられて一対の曲部６ｅ，６ｅを形成している。曲部６ｅ，６ｅは左右に延び、光受信器２２及び光送信器２１の上側をそれぞれ覆い且つ上筐体５に当接する一対の第２当接部６ｆ，６ｆを構成している。
【００２１】
一対の曲部６ｇ，６ｇには、左右一対の孔６ｋ，６ｋが形成されている。各孔６ｋは、左右方向及び上下方向に貫通し、後述する下筐体４との第１連結手段１１の一部として用いられる。一対の曲部６ｅ，６ｅには、左右一対の孔６ｊ，６ｊが形成されている。各孔６ｊは、左右方向及び上下方向に貫通し、後述する上筐体５との第２連結手段１２の一部として用いられる。
【００２２】
第２壁部６ｂ及び第３壁部６ｃには、光送信器２１の円筒部２１ｂ及び光受信器２２の円筒部２２ｂを挿通するための一対の孔６ｍ，６ｎがそれぞれ設けられている。光送信器２１及び光受信器２２は、下筐体４に収容される前に、シールド部材６に組み付けられる。光送信器２１及び光受信器２２は、円筒部２１ｂ，２２ｂを孔６ｍ，６ｎにそれぞれ後側から挿通させることで装着される。（図４参照）。
【００２３】
図５に示されるように、下筐体４の前端部には、光コネクタを光送信器２１及び光受信器２２に導くためのレセプタクル部７が設けられている。下筐体４の内部におけるレセプタクル部７の後方には、壁部８が設けられ、レセプタクル部７と壁部８との間には溝部９が形成されている。光送信器２１及び光受信器２２の本体部２１ａ，２２ａは、壁部８の後側に収容される。また、光送信器２１及び光受信器２２のフランジ部２１ｃ，２２ｃ、シールド部材６の第２壁部６ｂ及び第３壁部６ｃは、溝部９に収容され、溝部９から壁部８の後方にかけて第１壁部６ａが配置される（図６参照）。壁部８には、光送信器２１及び光受信器２２の円筒部２１ｂ，２２ｂを配置するための左右一対のＵ字状凹部８ａ，８ａが設けられている。また、壁部８には、第１壁部６ａを配置するためのスリット８ｂが設けられている。
【００２４】
上筐体５は、後端部が回動自在となるよう下筐体４の後端部に連結されており、上筐体５を下筐体４に対して回動させることで、下筐体４の上部を開閉させることが可能となっている。上筐体５の前側には、図１に示されるように、壁部８に対応する位置で下方に突出する壁部１０が形成されている。壁部１０には、上記Ｕ字状凹部８ａ，８ａと協働し光送信器２１及び光受信器２２の円筒部２１ｂ，２２ｂを挿通させるための左右一対のＵ字状凹部１０ａ，１０ａが設けられている。また、壁部１０には、スリット８ｂと協働しシールド部材６の第１壁部６ａを挿通させるためのスリット１０ｂが設けられている。
【００２５】
図７に示されるように、下筐体４と上筐体５とを閉じ合わせると、第１当接部６ｈ，６ｈと下筐体４の内壁面とが当接すると共に、第２当接部６ｆ，６ｆと上筐体５の内壁面とが当接し、シールド部材６が上下方向から圧縮される。この圧縮により、主としてシールド部材６の曲部６ｇ，６ｇ及び曲部６ｅ，６ｅが弾性変形する。第１当接部６ｈ，６ｈ及び第２当接部６ｆ，６ｆは、弾性変形した曲部６ｇ，６ｇ及び曲部６ｅ，６ｅの反発力により、下筐体４の内壁面及び上筐体５の内壁面にそれぞれ当接した状態に保持される。
【００２６】
図８に示されるように、下筐体４の内壁面において、シールド部材６の孔６ｋ，６ｋに対応する位置には、上側に突出する凸部４ａが設けられ、凸部４ａの先端部には、凸部４ａよりも左右幅の大きい拡大部４ｂが設けられている。シールド部材６を下筐体４に収容して下方に押し付けると、拡大部４ｂは、シールド部材６の一対の曲部６ｇ，６ｇを左右に押し広げた後、孔６ｋ，６ｋと係合する。拡大部４ｂが孔６ｋ，６ｋと係合すると、左右に押し広げられていた曲部６ｇ，６ｇが元の状態に戻り、孔６ｋ，６ｋの左右幅が拡大部４ｂの左右幅よりも小さくなる。これにより、孔６ｋ，６ｋと拡大部４ｂとの係合状態が維持され、シールド部材６の第１壁部６ａと下筐体４とが連結される。このような凸部４ａ、拡大部４ｂ、曲部６ｇ，６ｇ、及び孔６ｋ，６ｋによって、第１壁部６ａと下筐体４とを着脱自在に連結する第１連結手段１１が構成されている。
【００２７】
上筐体５の内壁面において、シールド部材６の孔６ｊ，６ｊに対応する位置には、下側に突出する凸部５ａが設けられ、凸部５ａの先端部には、凸部５ａよりも左右幅の大きい拡大部５ｂが設けられている。下筐体４と上筐体５とを閉じ合わせると、拡大部５ｂは、シールド部材６の一対の曲部６ｅ，６ｅを左右に押し広げた後、孔６ｊ，６ｊと係合する。拡大部５ｂが孔６ｊ，６ｊと係合すると、左右に押し広げられていた曲部６ｅ，６ｅが、元の状態に戻り、孔６ｊ，６ｊの左右幅が拡大部５ｂの左右幅よりも小さくなる。これにより、孔６ｊ，６ｊと拡大部５ｂとの係合状態が維持され、シールド部材６の第１壁部６ａと上筐体５とが連結される。このような凸部５ａ、拡大部５ｂ、曲部６ｅ，６ｅ及び孔６ｊ，６ｊによって、第１壁部６ａと上筐体５とを着脱自在に連結する第２連結手段１２が構成されている。
【００２８】
以上のように構成された光トランシーバ１においては、下筐体４及び上筐体５の内部から光送信器２１の前方へ向かって放射されたノイズがシールド部材６の第２壁部６ｂによって遮蔽される。下筐体４及び上筐体５の内部から光受信器２２の前方へ向かって放射されたノイズがシールド部材６の第３壁部６ｃによって遮蔽される。また、光送信器２１及び光受信器２２の一方から他方へ向かって放射されるノイズがシールド部材６の第１壁部６ａによって遮蔽され、光送信器２１及び光受信器２２の一方から他方へ伝わって放射されるノイズが抑制される。このように、シールド部材６の各壁部によって放射ノイズが遮蔽され、光トランシーバ１の放射ノイズが抑制される。シールド部材６は、第１壁部６ａ、第２壁部６ｂ、及び第３壁部６ｃを主体とする簡単な構成であるため、薄肉の板状素材から容易に形成することができ、光送信器２１と光受信器２２との間が狭い場合であっても、第１壁部６ａを容易に形成することができる。
【００２９】
また、シールド部材６は、第１壁部６ａの下端部に連設され下筐体４の内壁面に当接する第１当接部６ｈ，６ｈと、第１壁部６ａの上端部に連設され上筐体５の内壁面に当接する第２当接部６ｆ，６ｆとを有する。この場合、第１当接部６ｈ，６ｈによって下筐体４と第１壁部６ａとの隙間が覆われ、第２当接部６ｆ，６ｆによって上筐体５と第１壁部６ａとの隙間が覆われるため、光送信器２１及び光受信器２２の一方から他方へ向かって放射されるノイズがより確実に遮蔽される。
【００３０】
以上の作用により、本実施形態にあっては、光送信器２１と光受信器２２との間を仕切る壁部を容易に形成し、光トランシーバ１の放射ノイズを抑制することができる。
【００３１】
また、第２当接部６ｆ，６ｆは、左右に延び光受信器２２及び光送信器２１の上側をそれぞれ覆っているため、光受信器２２及び光送信器２１の上方に放射されるノイズが第２当接部６ｆ，６ｆによって遮蔽され、放射ノイズをさらに抑制することができる。
【００３２】
また、光トランシーバ１は、第１壁部６ａと下筐体４とを着脱自在に連結する第１連結手段１１と、第１壁部６ａと上筐体５とを着脱自在に連結する第２連結手段１２とを備えているため、下筐体４と上筐体５との係止手段としてシールド部材６が有効活用されている。
【００３３】
なお、本実施形態は、上記実施形態に限定されるものではない。
【００３４】
例えば、図３に示されるシールド部材６を、図９に示されるシールド部材６に代えると共に、図７に示される下筐体４及び上筐体５を、図１０に示される下筐体４及び上筐体５に代えててもよい。図９に示されるシールド部材６は、図３に示されるシールド部材６の各曲部６ｅ，６ｇ、各第１当接部６ｈ、及び各第２当接部６ｆを有さないものである。図１０に示される下筐体４は、図９に示されるシールド部材６の第１壁部６ａの下端部を収容する第１溝部４ｃを有し、上筐体５は、第１壁部６ａの上端部を収容する第２溝部５ｃを有するものである。この場合、第１溝部４ｃに第１壁部６ａの下端部が収容されることで下筐体４と第１壁部６ａとの隙間が覆われ、第２溝部５ｃに第１壁部６ａの上端部が収容されることで上筐体５と第１壁部６ａとの隙間が覆われるため光送信器２１及び光受信器２２の一方から他方へ向かって放射されるノイズがより確実に遮蔽される。
【００３５】
また、図９に示されるように、第２壁部６ｂ及び第３壁部６ｃのそれぞれの上端部に、後方へ曲がる曲部６ｒを形成し、曲部６ｒの端部に上筐体５との当接部６ｓを構成することで、第２壁部６ｂ及び第３壁部６ｃと上筐体５との電気的接触を確保してもよい。第２壁部６ｂの右端部及び第３壁部６ｃの左端部のそれぞれに、上記と同様の曲部６ｒ及び当接部６ｓを構成することで、第２壁部６ｂ及び第３壁部６ｃと下筐体４の側壁部との電気的接触を確保してもよい。さらに、図９には示されていないが、第２壁部６ｂ及び第３壁部６ｃのそれぞれの下端部に、曲部６ｒ及び当接部６ｓを構成してもよい。このように、第２壁部６ｂ及び第３壁部６ｃと下筐体４及び上筐体５との電気的接触を確保することで、第２壁部６ｂ及び第３壁部６ｃで吸収されたノイズを下筐体４及び上筐体５に逃がしやすくなり、光トランシーバ１からの放射ノイズをさらに抑制することができる。
【００３６】
また、図９に示されるように、第２壁部６ｂ及び第３壁部６ｃの孔６ｍ，６ｎの周囲に、前側から後側に押し出された複数の凸部６ｔを形成し、凸部６ｔと光送信器２１及び光受信器２２のフランジ部２１ｃ，２２ｃとを当接させてもよい。この場合、凸部６ｔにより、光送信器２１及び光受信器２２のフランジ部２１ｃ，２２ｃが下筐体４の壁部８及び上筐体５の壁部１０に押し付けられ、光送信器２１及び光受信器２２の前後方向の位置が安定する。
【符号の説明】
【００３７】
１…光トランシーバ、４…下筐体、５…上筐体、６…シールド部材、６ａ…第１壁部、６ｂ…第２壁部、６ｃ…第３壁部、６ｆ，６ｆ…第２当接部、６ｈ，６ｈ…第１当接部、１１…第１連結手段、１２…第２連結手段、２１…光送信器、２２…光受信器。
【図１】
2012059821.tif 000003
【図２】
2012059821.tif 000004
【図３】
2012059821.tif 000005
【図４】
2012059821.tif 000006
【図５】
2012059821.tif 000007
【図６】
2012059821.tif 000008
【図７】
2012059821.tif 000009
【図８】
2012059821.tif 000010
【図９】
2012059821.tif 000011
【図１０】
2012059821.tif 000012